【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】  データの送受信を行うための第１の通信ポートを有する第１の情報処理装置と、
データの送受信を行うための第２の通信ポートを有する第２の情報処理装置と、
前記第１の通信ポート及び前記第２の通信ポートとの間で双方向に通信を行う通信手段と
を備える情報処理システムであって、
前記第１の情報処理装置により実行される第１のアプリケーションプログラムが、前記第１の通信ポート及び前記第２の通信ポートをそれぞれデータの送信元及び送信先として設定しその方向での通信に前記通信手段を利用する手段と、
前記第２の情報処理装置により実行される第２のアプリケーションプログラムが、前記第２の通信ポート及び前記第１の通信ポートをそれぞれデータの送信元及び送信先として設定しその方向での通信に前記通信手段を利用する手段と
を備えることを特徴とする情報処理システム。
【請求項２】  第１の記憶デバイスに接続される第１の記憶デバイス制御装置と、
第２の記憶デバイスに接続される第２の記憶デバイス制御装置と、
前記第１の記憶デバイス制御装置がデータの送受信を行うために有する第１の通信ポートと、
前記第２の記憶デバイス制御装置がデータの送受信を行うために有する第２の通信ポートと、
前記第１の通信ポート及び前記第２の通信ポートとの間で双方向に通信を行う通信手段と
を備え、
前記第１の記憶デバイスに書き込まれるデータを前記第２の記憶デバイスにも書き込む機能を有するストレージシステムであって、
前記第１の記憶デバイス制御装置により実行される第１のアプリケーションプログラムが、前記第１の通信ポート及び前記第２の通信ポートをそれぞれデータの送信元及び送信先として設定しその方向での通信に前記通信手段を利用する手段と、
前記第２の記憶デバイス制御装置により実行される第２のアプリケーションプログラムが、前記第２の通信ポート及び前記第１の通信ポートをそれぞれデータの送信元及び送信先として設定しその方向での通信に前記通信手段を利用する手段と
を備えることを特徴とするストレージシステム。
【請求項３】  請求項２に記載のストレージシステムにおいて、
前記第１の記憶デバイス制御装置により実行される第１のアプリケーションプログラムが、前記第１の通信ポート及び前記第２の通信ポートをそれぞれデータの送信元及び送信先として設定しその方向での通信に前記通信手段を利用する手段は、
前記第１の記憶デバイス制御装置により実行される第１のアプリケーションプログラムが、前記第１の通信ポート及び前記第２の通信ポートをそれぞれデータの送信元及び送信先として対応付けた通信方向定義情報を前記第１の記憶デバイス制御装置に記憶しその方向での通信に前記通信手段を利用する手段であり、
前記第２の記憶デバイス制御装置により実行される第２のアプリケーションプログラムが、前記第２の通信ポート及び前記第１の通信ポートをそれぞれデータの送信元及び送信先として設定しその方向での通信に前記通信手段を利用する手段は、
前記第２の記憶デバイス制御装置により実行される第２のアプリケーションプログラムが、前記通信方向定義情報の送信元及び送信先としてそれぞれ対応付けられた通信ポートを入れ替えその方向での通信に前記通信手段を利用する手段である
ことを特徴とするストレージシステム。
【請求項４】  請求項２に記載のストレージシステムはさらに、
前記第１の記憶デバイスが提供する記憶領域に論理的に設定される第１の記憶領域と前記第２の記憶デバイスが提供する記憶領域に論理的に設定される第２の記憶領域とをそれぞれデータの複製元及び複製先と対応付け、前記第１の記憶領域に書き込まれるデータを前記第２の記憶領域にも書き込む手段と、
前記第２の記憶領域と前記第１の記憶領域とをそれぞれデータの複製元及び複製先と対応付け、前記第２の記憶領域に書き込まれるデータを前記第１の記憶領域にも書き込む手段と
を備えることを特徴とするストレージシステム。
【請求項５】  データの送受信を行うための第１の通信ポートを有する第１の情報処理装置と、
データの送受信を行うための第２の通信ポートを有する第２の情報処理装置と、
前記第１の通信ポート及び前記第２の通信ポートとの間で双方向に通信を行う通信手段と
を備える情報処理システムにおける前記第１の情報処理装置であって、
前記第１の情報処理装置により実行されるアプリケーションプログラムが、前記第１の通信ポート及び前記第２の通信ポートをそれぞれデータの送信元及び送信先として設定しその方向での通信に前記通信手段を利用する手段
を備えることを特徴とする情報処理装置。
【請求項６】  データの送受信を行うための第１の通信ポートを有する第１の情報処理装置と、
データの送受信を行うための第２の通信ポートを有する第２の情報処理装置と、
前記第１の通信ポート及び前記第２の通信ポートとの間で双方向に通信を行う通信手段と
を備える情報処理システムにおける前記第２の情報処理装置であって、
前記第２の情報処理装置により実行されるアプリケーションプログラムが、前記第２の通信ポート及び前記第１の通信ポートをそれぞれデータの送信元及び送信先として設定しその方向での通信に前記通信手段を利用する手段
を備えることを特徴とする情報処理装置。
【請求項７】  第１の記憶デバイスに接続される第１の記憶デバイス制御装置と、
第２の記憶デバイスに接続される第２の記憶デバイス制御装置と、
前記第１の記憶デバイス制御装置がデータの送受信を行うために有する第１の通信ポートと、
前記第２の記憶デバイス制御装置がデータの送受信を行うために有する第２の通信ポートと、
前記第１の通信ポート及び前記第２の通信ポートとの間で双方向に通信を行う通信手段と
を備え、
前記第１の記憶デバイスに書き込まれるデータを前記第２の記憶デバイスにも書き込む機能を有するストレージシステムにおける前記第１の記憶デバイス制御装置であって、
前記第１の記憶デバイス制御装置により実行されるアプリケーションプログラムが、前記第１の通信ポート及び前記第２の通信ポートをそれぞれデータの送信元及び送信先として設定しその方向での通信に前記通信手段を利用する手段
を備えることを特徴とする記憶デバイス制御装置。
【請求項８】  請求項７に記載の記憶デバイス制御装置において、
前記第１の記憶デバイス制御装置により実行されるアプリケーションプログラムが、前記第１の通信ポート及び前記第２の通信ポートをそれぞれデータの送信元及び送信先として設定しその方向での通信に前記通信手段を利用する手段は、
前記第１の記憶デバイス制御装置により実行されるアプリケーションプログラムが、前記第１の通信ポート及び前記第２の通信ポートをそれぞれデータの送信元及び送信先として対応付けた通信方向定義情報を前記第１の記憶デバイス制御装置に記憶しその方向での通信に前記通信手段を利用する手段である
ことを特徴とする記憶デバイス制御装置。
【請求項９】  請求項７に記載の記憶デバイス制御装置はさらに、
前記第１の記憶デバイスが提供する記憶領域に論理的に設定される第１の記憶領域と前記第２の記憶デバイスが提供する記憶領域に論理的に設定される第２の記憶領域とをそれぞれデータの複製元及び複製先と対応付け、前記第１の記憶領域に書き込まれるデータを前記第２の記憶領域にも書き込む手段と、
を備えることを特徴とする記憶デバイス制御装置。
【請求項１０】  第１の記憶デバイスに接続される第１の記憶デバイス制御装置と、
第２の記憶デバイスに接続される第２の記憶デバイス制御装置と、
前記第１の記憶デバイス制御装置がデータの送受信を行うために有する第１の通信ポートと、
前記第２の記憶デバイス制御装置がデータの送受信を行うために有する第２の通信ポートと、
前記第１の通信ポート及び前記第２の通信ポートとの間で双方向に通信を行う通信手段と
を備え、
前記第１の記憶デバイスに書き込まれるデータを前記第２の記憶デバイスにも書き込む機能を有するストレージシステムにおける前記第２の記憶デバイス制御装置であって、
前記第２の記憶デバイス制御装置により実行されるアプリケーションプログラムが、前記第２の通信ポート及び前記第１の通信ポートをそれぞれデータの送信元及び送信先として設定しその方向での通信に前記通信手段を利用する手段
を備えることを特徴とする記憶デバイス制御装置。
【請求項１１】  請求項１０に記載の記憶デバイス制御装置において、
前記第２の記憶デバイス制御装置により実行されるアプリケーションプログラムが、前記第２の通信ポート及び前記第１の通信ポートをそれぞれデータの送信元及び送信先として設定しその方向での通信に前記通信手段を利用する手段は、
前記第２の記憶デバイス制御装置により実行されるアプリケーションプログラムが、前記第２の通信ポート及び前記第１の通信ポートをそれぞれデータの送信元及び送信先として対応付けた通信方向定義情報を前記第２の記憶デバイス制御装置に記憶しその方向での通信に前記通信手段を利用する手段である
ことを特徴とする記憶デバイス制御装置。
【請求項１２】  請求項１０に記載の記憶デバイス制御装置はさらに、
前記第１の記憶デバイスが提供する記憶領域に論理的に設定される第１の記憶領域と前記第２の記憶デバイスが提供する記憶領域に論理的に設定される第２の記憶領域とをそれぞれデータの複製先及び複製元と対応付け、前記第２の記憶領域に書き込まれるデータを前記第１の記憶領域にも書き込む手段
を備えることを特徴とする記憶デバイス制御装置。
【請求項１３】  データの送受信を行うための第１の通信ポートを有する第１の情報処理装置と、
データの送受信を行うための第２の通信ポートを有する第２の情報処理装置と、
前記第１の通信ポート及び前記第２の通信ポートとの間で双方向に通信を行う通信手段と
を備える情報処理システムに、
前記第１の通信ポート及び前記第２の通信ポートをそれぞれデータの送信元及び送信先として設定しその方向での通信に前記通信手段を利用するステップと、
前記第２の通信ポート及び前記第１の通信ポートをそれぞれデータの送信元及び送信先として設定しその方向での通信に前記通信手段を利用するステップと
を実行させるためのプログラム。
【請求項１４】  第１の記憶デバイスに接続される第１の記憶デバイス制御装置と、
第２の記憶デバイスに接続される第２の記憶デバイス制御装置と、
前記第１の記憶デバイス制御装置がデータの送受信を行うために有する第１の通信ポートと、
前記第２の記憶デバイス制御装置がデータの送受信を行うために有する第２の通信ポートと、
前記第１の通信ポート及び前記第２の通信ポートとの間で双方向に通信を行う通信手段と
を備え、
前記第１の記憶デバイスに書き込まれるデータを前記第２の記憶デバイスにも書き込む機能を有するストレージシステムに、
前記第１の通信ポート及び前記第２の通信ポートをそれぞれデータの送信元及び送信先として設定しその方向での通信に前記通信手段を利用するステップと、
前記第２の通信ポート及び前記第１の通信ポートをそれぞれデータの送信元及び送信先として設定しその方向での通信に前記通信手段を利用するステップと
を実行させるためのプログラム。
【請求項１５】  請求項１４に記載のプログラムにおいて、
前記第１の通信ポート及び前記第２の通信ポートをそれぞれデータの送信元及び送信先として設定しその方向での通信に前記通信手段を利用するステップは、
前記第１の通信ポート及び前記第２の通信ポートをそれぞれデータの送信元及び送信先として対応付けた通信方向定義情報を前記第１の記憶デバイス制御装置に記憶しその方向での通信に前記通信手段を利用するステップであり、
前記第２の通信ポート及び前記第１の通信ポートをそれぞれデータの送信元及び送信先として設定しその方向での通信に前記通信手段を利用するステップは、
前記通信方向定義情報の送信元及び送信先としてそれぞれ対応付けられた通信ポートを入れ替えその方向での通信に前記通信手段を利用するステップである
ことを特徴とするプログラム。
【請求項１６】  請求項１４に記載のプログラムにおいて、
前記第１の通信ポート及び前記第２の通信ポートをそれぞれデータの送信元及び送信先として設定しその方向での通信に前記通信手段を利用するステップに続き、
前記第１の記憶デバイスが提供する記憶領域に論理的に設定される第１の記憶領域と前記第２の記憶デバイスが提供する記憶領域に論理的に設定される第２の記憶領域とをそれぞれデータの複製元及び複製先と対応付け、前記第１の記憶領域に書き込まれるデータを前記第２の記憶領域にも書き込むステップを備え、
前記第２の通信ポート及び前記第１の通信ポートをそれぞれデータの送信元及び送信先として設定しその方向での通信に前記通信手段を利用するステップに続き、
前記第２の記憶領域と前記第１の記憶領域とをそれぞれデータの複製元及び複製先と対応付け、前記第２の記憶領域に書き込まれるデータを前記第１の記憶領域にも書き込むステップを備える
ことを特徴とするプログラム。
【請求項１７】  第１の記憶デバイスに接続される第１の記憶デバイス制御装置と、第２の記憶デバイスに接続される第２の記憶デバイス制御装置とを備え、前記第１の記憶デバイス制御装置が有する第１の通信ポートと前記第２の記憶デバイス制御装置が有する第２の通信ポートとがデータ転送路で接続されてなり、
前記第１の記憶デバイス制御装置は、
前記第１の通信ポート及び前記第２の通信ポートをそれぞれデータの送信元及び送信先として対応付けた通信方向定義情報を記憶し、その方向での通信に前記データ転送路を利用すると共に、前記第１の記憶デバイスが提供する記憶領域に論理的に設定される第１の記憶領域と前記第２の記憶デバイスが提供する記憶領域に論理的に設定される第２の記憶領域とをそれぞれデータの複製元及び複製先と対応付けたペアボリューム管理テーブルを記憶し、前記第１の記憶領域に書き込まれるデータを、前記第２の記憶領域にも書き込むべく前記データ転送路を利用して前記第２の記憶デバイス制御装置に送信し、
前記第２の記憶デバイス制御装置は、
前記通信方向定義情報の送信元及び送信先としてそれぞれ対応付けられた通信ポートを入れ替えて対応付け、その方向での通信に前記データ転送路を利用すると共に、前記ペアボリューム管理テーブルの複製元及び複製先としてそれぞれ対応付けられた記憶領域を入れ替えて対応付け、前記第２の記憶領域に書き込まれるデータを前記第１の記憶領域にも書き込むべく前記データ転送路を利用して前記第１の記憶デバイス制御装置に送信する
ことを特徴とするストレージシステム。
【請求項１８】  第１の記憶デバイスに接続される第１の記憶デバイス制御装置と、第２の記憶デバイスに接続される第２の記憶デバイス制御装置とを備え、前記第１の記憶デバイス制御装置が有する第１の通信ポートと前記第２の記憶デバイス制御装置が有する第２の通信ポートとがデータ転送路で接続されてなるストレージシステムにおける前記第１の記憶デバイス制御装置であって、
前記第１の通信ポート及び前記第２の通信ポートをそれぞれデータの送信元及び送信先として対応付けた通信方向定義情報を記憶し、その方向での通信に前記データ転送路を利用すると共に、前記第１の記憶デバイスが提供する記憶領域に論理的に設定される第１の記憶領域と前記第２の記憶デバイスが提供する記憶領域に論理的に設定される第２の記憶領域とをそれぞれデータの複製元及び複製先と対応付けたペアボリューム管理テーブルを記憶し、前記第１の記憶領域に書き込まれるデータを、前記第２の記憶領域にも書き込むべく前記データ転送路を利用して前記第２の記憶デバイス制御装置に送信する
ことを特徴とする記憶デバイス制御装置。
【請求項１９】  第１の記憶デバイスに接続される第１の記憶デバイス制御装置と、第２の記憶デバイスに接続される第２の記憶デバイス制御装置とを備え、前記第１の記憶デバイス制御装置が有する第１の通信ポートと前記第２の記憶デバイス制御装置が有する第２の通信ポートとがデータ転送路で接続され、前記第１の記憶デバイス制御装置は、前記第１の通信ポート及び前記第２の通信ポートをそれぞれデータの送信元及び送信先として対応付けた通信方向定義情報を記憶し、その方向での通信に前記データ転送路を利用すると共に、前記第１の記憶デバイスが提供する記憶領域に論理的に設定される第１の記憶領域と前記第２の記憶デバイスが提供する記憶領域に論理的に設定される第２の記憶領域とをそれぞれデータの複製元及び複製先と対応付けたペアボリューム管理テーブルを記憶し、前記第１の記憶領域に書き込まれるデータを、前記第２の記憶領域にも書き込むべく前記データ転送路を利用して前記第２の記憶デバイス制御装置に送信する、ストレージシステムにおける前記第２の記憶デバイス制御装置であって、
前記通信方向定義情報の送信元及び送信先としてそれぞれ対応付けられた通信ポートを入れ替えて対応付け、その方向での通信に前記データ転送路を利用すると共に、前記ペアボリューム管理テーブルの複製元及び複製先としてそれぞれ対応付けられた記憶領域を入れ替えて対応付け、前記第２の記憶領域に書き込まれるデータを前記第１の記憶領域にも書き込むべく前記データ転送路を利用して前記第１の記憶デバイス制御装置に送信する
ことを特徴とする記憶デバイス制御装置。